(57)【要約】      （修正有）【課題】組み立て作業を簡略化し、一度開封すると開封されたことが外見でわかる改ざん防止型ヘッダー付き包装箱を提供する。【解決手段】筒状の本体部１と、本体部１の底面を閉じる底面部と、本体部１の側面板２の上部に折り線１４を介して連設される側面フラップ３と、本体部１の背面から上方に突出したヘッダー部５と、ヘッダー部５上方に折れ線１４と連設されるスリット６を備えた天面板７と、本体部１の前面から上方に突出した蓋部９と、蓋部９に設けられた挿入部１１と、を備えたヘッダー付き包装箱１７において、ヘッダー部５の上端左右から延長されたストッパー部４を有し、本体部１の側面板２の上部に折り線１４を介して連設される側面フラップ３がヘッダー部５を固定し前面へ開かないことを特徴とする包装箱である。【選択図】図１
0003211982.tif 000002
【実用新案登録請求の範囲】
【請求項１】
筒状の本体部と、前記本体部の底面を閉じる底面部と、前記本体部の側面板の上部に折れ線を介して連設される側面フラップと、前記本体部の背面板から上方に突出したヘッダー部と、前記ヘッダー部上方に折れ線と連設されるスリットを備えた天面板と、前記本体部の前面板から上方に突出した蓋部と、を備えた改ざん防止型ヘッダー付き包装箱において、前記ヘッダー部の上端左右から延長されたストッパー部を有し、前記本体部の側面板の上部に折り線を介して連設される側面フラップがヘッダー部を固定し前面へ開かないことを特徴とする包装箱。
【請求項２】
前記ヘッダー部上方に折れ線と連設されるスリットに、蓋部に設けられた挿入部が差し込まれることにより、容易に蓋部を開封できないことを特徴とする請求項１に記載の包装箱。
【請求項３】
前記スリットを囲むミシン線を形成する請求項２に記載の包装箱。
【考案の詳細な説明】
【技術分野】
【０００１】この考案は改ざん防止型ヘッダー付き包装箱に関するものである。
【背景技術】
【０００２】従来、改ざん防止型ヘッダー付き包装箱は改ざん防止機能を働かせるため、蓋を糊付けするか、或いはテープ止めなどの二次作業が必要であった。こうした問題解決のため、包装箱の構造改善を行った。
【先行技術文献】
【特許文献】
【０００３】
【特許文献１】特開２００５−２６３２７０
【考案の概要】
【考案が解決しようとする課題】
【０００４】上記、従来技術の場合、改ざん防止機能を働かせようとするための糊付けやテープ止めの工夫はあるが、糊付けは開封されたことが外見で判断しにくく、テープ止めは剥がれてくる可能性があるなど改ざん防止効果が十分機能しない問題があった。【０００５】また、糊付けやテープ止めは部品点数、組立工数が多くなりコスト面でも問題があった。【０００６】本考案は、機能の向上を図り、部品点数、組立工数を減らし、改ざん防止できるヘッダー付き包装箱を提供することを目的とする。
【課題を解決するための手段】
【０００７】筒状の本体部と、前記本体部の底面を閉じる底面部と、前記本体部の側面板の上部に折り線を介して連設される側面フラップと、前記本体部の背面から上方に突出したヘッダー部と、前記ヘッダー部上方に折れ線と連設されるスリットを備えた天面板と、前記本体部の前面から上方に突出した蓋部と蓋部に設けられた挿入部を備えたヘッダー付き包装箱において、前記ヘッダー部の上端左右から延長されたストッパー部を有し、前記本体部の側面板の上部に折り線を介して連設される側面フラップがヘッダー部を固定することを特徴としている。【０００８】この考案は本体部の側面板の上部に折り線を介して連設される側面フラップに、本体部背面を上方に突出したヘッダー部から折り線を介して連設される天面板が重ねられ、蓋部に設けられた挿入部がスリットに挿入されることにより天面が塞がれる。【０００９】また、本考案は蓋部に設けられた挿入部がスリットに挿入されることにより天面が塞がれ、天面板に設けられたミシン線を破断しないと開封が困難であるため内部への進入が規制される。
【考案の効果】
【００１０】本考案によると、本体部の側面板の上部に折り線を介して連設される側面フラップに、本体部背面を上方に突出したヘッダー部上方に折れ線と連設されるスリットを備えた天面板が重ねられ、蓋部に設けられた挿入部がスリットに挿入されることにより、容易に開封できない構造となる。糊止め、テープ止めの組立て工数を削減するとともに内容物の改ざんを防止することができる。
【図面の簡単な説明】
【００１１】
【図１】本考案の改ざん防止型ヘッダー付き包装箱の実施例を示す斜視図である。
【図２】本考案の改ざん防止型ヘッダー付き包装箱の実施例を示す斜視図である。
【図３】本考案の改ざん防止型ヘッダー付き包装箱の実施例を示す斜視図である。
【図４】本考案の改ざん防止型ヘッダー付き包装箱の実施例を示す底面図である。
【図５】本考案の改ざん防止型ヘッダー付き包装箱の実施例を示す展開図である。
【考案を実施するための形態】
【００１２】以下に本考案の実施形態を図面を参照して説明する。図１は本考案の一実施形態の斜視図を示している。図２は内容物を入れる前の包装箱を示し、図３は内容物が入り組立後の図を示している。図４は底面部を示している。図５は展開図を示している。本体１は上端に開口面１５を有する。蓋部は上端の開口面１５を閉じる。
【００１３】本体部１は前面板１８及び背面板１３を有するとともに対向する側面板２及び側面板２２を有する。前面板１８の左端の糊付け面４１（図５参照）と側面板２が糊により接着されて本体部１は上下方向に垂直な断面が矩形に形成される。
【００１４】側面板２、２２の上部には折れ線１４を介して側面フラップ３が連設される。
【００１４】前面板１８上部には折れ線４０を介して蓋部９が連設される。蓋部９先端には折れ線４２を介して挿入部１１を有する。
【００１５】ヘッダー部５はストッパー部４、天面板７を有する。ヘッダー部５は背面板１３を上方に延設し、折れ線１４を介して形成される。ストッパー部４は天面板７の左右に形成される。天面板７は背面板１３を上方に延設し、折れ線３９を介して形成される。
【００１６】次に、この実施形態の改ざん防止型ヘッダー付き包装箱１７の組立方法について図５を元に説明する。
まず、折れ線１６、１９、２０、２１を山折りし、折れ線２２、２３を逆折りし、底部糊付片２４、２５の裏面に糊２６、２７を塗布する。そして、糊付け面４１の表面に糊３０を塗布する。折罫線１９を正折りし、折罫線２１を正折りする。これにより、糊付片４１の表面は糊３０により側面板２の裏面に糊付けされ、底部糊付片２４の裏面は糊２６により底フラップ２８の表面に、底部糊付片２５の裏面は糊２７により底フラップ２９の表面に糊付けされる。これにより折り畳み状態となり、この状態で出荷される。
【００１７】次に内容物を入れる工場等において、折れ線１６、１９、２０、２１を各々９０°に正折りして矩形の箱体にする。このとき、底蓋片３１の底部糊付片２４は底フラップ２８に、底蓋片３２の底部糊付片２５は底フラップ２９に糊付けされているため、二つ折りされていた折れ線３３、３４、３５、３６は自動的に引き起こされてほぼ９０°に開き、底部が形成される。底蓋片３１と底蓋片３２のロック部分３７、３８は、組み立てる途中は互いに当接し弾性変形しながら乗り越えて、組み立てたときには弾性変形が復元して互いにロックされ、箱体の底部の形状を保つ。これにより図４に示す状態となる。
【００１８】次に図２で示すように組み立てられた本体部１と底面部からなる包装箱に商品を入れ背面板１３から上方へ突出したヘッダー部を折れ線１４を山折りし、ヘッダー部から突出した天面板を折罫線３９を谷折りする、次に側面板２、２２より上方に突出した側面フラップ３を折罫線１４で９０°に山折りすることにより、ヘッダー部５が前面に広がらないように固定することができる。
【００１９】そして、天面板７を側面フラップの上に重ね前面板上方に突出した蓋部９に設けられた挿入部１１をスリット６に差し込み固定する。
【００２０】開封するときは図３に示すように、ミシン線１０を破断して蓋部９を開封する。他の方法で開封しようとすると周囲の一部を破損したり、無理に力を加えるとミシン線１０が破断するので開封痕が残り改ざん防止効果を有する。
【００２１】この改ざん防止型ヘッダー付き包装箱は、簡単な構造で箱を組み立てるだけで改ざん防止機能を有し、商品を保護することができる。改ざん防止のために糊付けやテープを使用することなく、組立工数も削減できる。さらにヘッダー付きであるため商品説明をグラフィックなどで表現し販売効果も向上できる。
開封するときはミシン線１０を破断しなければ開封できず、開封した痕跡が確実に残るため改ざん防止効果がある。
【００２２】なお、この考案の包装箱は上記実施形態に限定されるものではなく、素材や各部材の形状など適宜変更可能である。ヘッダー部の形状、蓋部、フラップを連設する位置についても適宜設定可能である。
【符号の説明】
【００２３】１  本体部
２、２２  側面板
３  側面フラップ
４  ストッパー部
５  ヘッダー部
６  スリット
７  天面板
８  底面部
９  蓋部
１０  ミシン線
１１  挿入部
１２  天面
１３  背面板
１４、１６、１９、２０、２１、３３、３４、３５、３６、３９、４０、４２  折れ線
１５  開口面
１７  改ざん防止型ヘッダー付き包装箱
１８  前面板
２４、２５  底部糊付片
２６、２７、３０  糊
２８、２９  底フラップ
３１、３２  底蓋片
３７、３８  ロック部分
４１  糊付片
【図１】
0003211982.tif 000003
【図２】
0003211982.tif 000004
【図３】
0003211982.tif 000005
【図４】
0003211982.tif 000006
【図５】
0003211982.tif 000007